(57)【要約】【課題】木造建築の床を二重に設けて、二重床の通気層を空気が流動することで、外壁通気層及び間仕切壁通気層から小屋裏へと連通することで、室内の空気の循環を良好にし、健康的で快適な居住空間をつくることにある。【解決手段】二重床９の通気層６を構成する上部床板２１を支持する根太５の根太受金具１であって、半円形の複数の切欠２ａを有し、複数のビス穴２ｂを有する下部プレート２の上面に柱状部材３を立設し、該柱状部材３の上端に柱状部材３に直交して複数のビス穴２ｂを有する上部プレート４を溶着し、前記柱状部材３の対向する二面を延設してそれぞれにビス穴２ｂを有する突縁３ａを設け、前記下部プレート２の複数のビス穴２ｂから下部床板２０の上面にビス２ｃ止めして固定し、前記柱状部材３の上端に前記根太５を嵌設し、前記柱状部材３と前記根太５を固定したものである。【選択図】  図１
2005042346.tif 000002
【特許請求の範囲】
【請求項１】
外壁に設けた通気口から流入した空気を、室内空間から部屋の上部床板に設けた通気口を通過して、二重床の通気層と、外壁通気層及び間仕切壁通気層と、小屋裏空間へと連通して小屋裏に設けた排出装置で屋外に排出する構造とする建物において、
前記二重床の通気層に設けた上部床板を支持する根太の支持金具であって、半円形の複数の切欠を有し、複数のビス穴を有する下部プレートの上面に柱状部材を立設し、該柱状部材の上端に柱状部材に直交して複数のビス穴を有する上部プレートを溶着し、柱状部材の対向する二面を延設してそれぞれにビス穴を有する突縁を設け、前記下部プレートの複数のビス穴から下部床板の上面にビス止めして固定し、前記柱状部材の上端に溶着した上部プレートの上面と両突縁の間に前記根太を嵌設し、上部プレート及び両突縁のそれぞれに有するビス穴からビス止めして、前記柱状部材と前記根太を固定し、複数の根太受金具を用いて根太を等間隔に配設したことを特徴とする二重床用根太受金具及び二重床用根太受金具の取付方法。
【請求項２】
前記二重床の通気層において、上部床板の複数か所に設けた通気口に嵌設する通気口枠体であって、
正方形又は長方形の前記通気口枠体の周縁に鍔を有し、該通気口枠体の内側に枠に平行して垂直に複数のプレートを設け、通気口枠体の内側の三面の下端に枠に直交して凹溝を設け、他の一面にフイルター枠体を挿入する挿入口を設け、該挿入口から挿入したフイルター枠体を前記凹溝に着脱自在に嵌挿し、前記上部床板の通気口に前記通気口枠体を着脱自在に嵌設したことを特徴とする請求項１に記載の通気口枠体及び通気口枠体の取付方法。
【請求項３】
前記通気口枠体に嵌挿するフイルター枠体であって、正方形又は長方形のフイルター枠体を断面コ字形の枠材で形成し、フイルター枠体の内側の下部に縦横に複数のフイルター支持部材を有し、フイルター枠体のコ字形の溝にフイルターを嵌着し、フイルター枠体を前記通気口枠体の挿入口から挿入して前記凹溝に脱着自在に嵌挿したことを特徴とする請求項２に記載の通気口枠体及び通気口枠体の取付方法。
【発明の詳細な説明】
【０００１】
【発明の属する技術分野】
本発明は木造建築の室内の空気の循環を良好にする二重床用根太受金具及び二重床用根太受金具の取付方法と、、通気口枠体及び通気口枠体の取付方法に関するものである。
【０００２】
【従来技術】
省エネルギーと健康で快適な居住空間を求めて、高断熱・高気密化した建物が普及しているが、建物を高断熱・高気密化することで居住室内の空間が密閉され、換気が充分でないため、汚染した空気が充満して夏季には湿気がこもり、カビやダニの発生の原因となり、他方では、通気不良による湿気で木部が腐蝕し、室内の仕上材料等に含まれる化学物質からの有害物質の放散でシックハウス症候群が増えているというのが実情である。この様な状況に対応して住宅メーカー等では、種種の換気方法が開発されているが、その多くが換気装置を備えたダクト内を流動して空気を屋外に排出するシステムを採用しているケースがほとんどである。
かかる換気システムは設備費を要し、時間の経過と共にダクトの空気の吸入口に浮遊塵が溜まり、しかも雑菌が付着する等非衛生的で、室内の空気が充分に換気されているとはいいがたい状態である。
【０００３】
換気システムによらない自然的な換気方法を用いた幾つかの建物が提案されている、その一つに特許文献１に開示された技術は、建物の外壁の通気層は、外壁の下方の空気流入口から空気を流入し、通気層を上昇して小屋裏に設けた排出口から屋外に空気が排出する過程で、外壁通気層の断熱層を貫通して設けられた開閉ガラリから、外壁通気層と居間（１階と２階）の室内空間とを連通し、外壁通気層内の空気を開閉ガラリを通過して居間（１階と２階）の室内空間に入り、室内の空気を換気するようになっている。
【０００４】
そして、外壁の下方の空気流入口から空気を流入し、外壁通気層を上昇して小屋裏に到達し、小屋裏に設けた排出口から外部に排出という、外壁通気層の空気の流れの途中で断熱層に設けた開閉ガラリから室内に空気が流入するようになっているが、確かに室内への空気の流入はあるのですが、隙間から空気が流入するというような少ない流量と思われる、しかも、他の室との間仕切壁に設けた開閉ガラリを通過して更に他の室内に流動するとなれば更に少ない流量となり、各室内空間を空気が循環する機能は微小と思われる。
【０００５】
また、本出願人の提案として特許文献２に開示された技術は、外壁に通気口を設け、通気口から室内空間に流入した空気を二重床の上部床板に設けた通気口から二重床の通気層を流動して、外壁通気層及び間仕切壁通気層を通過して小屋裏空間に到達し、小屋裏に設けた排出装置で屋外に排出するという連通した構造で、２４時間窓等を閉め切っても建物内を空気が循環する理想的な換気方法であるが、二重床内に上部床板を支持する根太を（下部床板と上部床板との間）等間隔に配設してあるが、二重床内の通気層で上部床板を支持する根太を平行して配設した根太方向の空気の流動は良好であるが、根太と直交して根太の所定か所に複数の通気穴を設けてあるが、この方向の流量は弱い、したがって、根太と直交する側の外壁通気層及び間仕切壁通気層に流入する空気の流量は少ないものとなる。
【０００６】
【特許文献１】特開平９−３２８８２４号公報（第３頁、図１、図２）
【特許文献２】特開２００２−８８９３９号公報（第４頁、図７）
【０００７】
【発明が解決しようとする課題】
本発明は、上記実情に鑑みなされたものであり、建物の外壁内及び間仕切壁内を空気が良好に上昇して循環するという工法がなかった、したがって、壁内に空気が滞留し、同時に季節により、湿気も滞留し木部を腐蝕したり、白蟻に侵食されることとなった。
【０００８】
省エネルギーと快適な居住空間を目指して、高断熱・高気密化が普及しているが、居住室内の密閉化により仕上げ材等に含まれる化学物質から放散する有害物質などによる健康被害をうけ、居住室内の換気の必要が叫ばれている。これに対応すべくダクトを備えた換気システムが普及しているが、これらの装置は設備費用と維持費がかかり、ダクトによる換気方法は換気量に限度があり、しかも、室内の浮遊塵がダクトの吸い込み口に付着し、非衛生的であり、浮遊塵を取り除くためのメンテナンスも必要であった。
【０００９】
外壁通気口から流入した空気が換気システムによらない自然的な換気で、しかも、室内空間から二重床の通気層を通過して外壁通気層及び間仕切壁通気層を通過して小屋裏空間に到達し、小屋裏空間から屋外へと空気が排出されるという空気が循環する理想的な工法が確立されたものがなかった。
【００１０】
本発明が解決しようとする第１の課題は、二重床の通気層において、部屋の上部床板を支持する根太受金具を用いることで、二重床内の空気が全方位に流動し、根太と平行する側の壁内と根太と直交する側の壁内へと平均に空気が流動することを提供する点にある。
【００１１】
本発明が解決しようとする第２の課題は、外壁に設けた通気口から流入した空気が室内空間に流入し、室内空間から床に設けた通気口から流入した空気が、二重床の通気層を通過して外壁通気層及び間仕切壁通気層を上昇して小屋裏空間に到達し、小屋裏空間から屋外に排出されて循環することで２４時間窓を閉めておいても、建物内を空気が順調に循環することを提供する点にある。
【００１２】
本発明が解決しようとする第３の課題は、建物内を空気が循環することで、室内への新鮮な空気を供給し、絶えず循環する空気で室内及び壁内の湿気を排出することで、室内でのカビ・ダニの発生を防止し、壁内の湿気の排出で木部の腐蝕と白蟻による侵食を防止することができる、また、其処に居住する人の健康も保持できることを提供する点にある。
【００１３】
本発明が解決しようとする第４の課題は、二重床の上部床板に設けた通気口枠体にフイルター枠体を着脱可能に嵌挿してフイルターを適宜に交換することで、経年とともに空気を取り込む通気口と通気層内に室内の浮遊塵が滞留しないように工夫した改善提案の点にある。
【００１４】
【課題を解決するための手段】
上記目的を達成するために、この発明は、外壁に設けた通気口から流入した空気を、室内空間から部屋の上部床板に設けた通気口を通過して、二重床の通気層と、外壁通気層及び間仕切壁通気層と、小屋裏空間へと連通して小屋裏に設けた排出装置で屋外に排出する構造とする建物において、
前記二重床の通気層に設けた上部床板を支持する根太の支持金具であって、半円形の複数の切欠を有し、複数のビス穴を有する下部プレートの上面に柱状部材を立設し、該柱状部材の上端に柱状部材に直交して複数のビス穴を有する上部プレートを溶着し、柱状部材の対向する二面を延設してそれぞれにビス穴を有する突縁を設け、前記下部プレートの複数のビス穴から下部床板の上面にビス止めして固定し、前記柱状部材の上端に溶着した上部プレートの上端と両突縁の間に前記根太を嵌設し、上部プレート及び両突縁のそれぞれに有するビス穴からビス止めして、前記柱状部材と前記根太を固定し、複数の根太受金具を用いて根太を等間隔に配設して二重床の通気層の通気を良好にしたものである。
【００１５】
前記二重床の通気層において、上部床板の複数か所に設けた通気口に嵌設する通気口枠体であって、正方形又は長方形の前記通気口枠体の周縁に鍔を有し、該通気口枠体の内側に枠に平行して垂直に複数のプレートを設け、通気口枠体の内側の三面の下端に枠に直交して凹溝を設け、他の一面にフイルター枠体を挿入する挿入口を設け、該挿入口から挿入したフイルター枠体を前記凹溝に着脱自在に嵌挿し、前記上部床板の通気口に前記通気口枠体を着脱自在に嵌設したものである。
【００１６】
前記通気口枠体に嵌挿するフイルター枠体であって、正方形又は長方形のフイルター枠体を断面コ字形の枠材で形成し、フイルター枠体の内側の下部に縦横に複数のフイルター支持部材を有し、フイルター枠体のコ字形の溝にフイルターを嵌着し、フイルター枠体を前記通気口枠体の挿入口から挿入して前記凹溝に着脱自在に嵌挿したものである。
【００１７】
【発明の実施の形態】
本発明の１実施の形態を図１に基づき説明する、図１は本発明の根太受支持金具を装着した二重床の通気層を示す斜視図である。外壁に設けた通気口７から流入した空気を、室内空間２５から上部床板２１に設けた通気口８を通過して、二重床９の通気層６と、外壁通気層６及び間仕切壁通気層６と、小屋裏空間（図省略）に設けた排出装置（図省略）で屋外に排出して建物内を空気が循環するものである。
【００１８】
二重床９の通気層６に設けた上部床板２１を支持する根太５を支持する根太受金具１で、鋼製のメッキを施した根太受金具である。半円形の複数の切欠２ａを有し、かつ、複数のビス穴２ｂを有する下部プレート２の上面に柱状部材３を立設し、この柱状部材３の上端に柱状部材３に直交して複数のビス穴２ｂを有する上部プレート４を溶着し、前記柱状部材３の対向する二面を延設してそれぞれにビス穴２ｂを有する突縁３ａを設ける。
【００１９】
下部プレート２の複数のビス穴２ｂから下部床板２０の上面にビス２ｃ止めして固定し、柱状部材３の上端に溶着した上部プレート４と両突縁３ａ，３ａの間に根太５を嵌設し、上部プレート４及び両突縁３ａ，３ａのそれぞれに有するビス穴２ｂからビス２ｃ止めして柱状部材３と根太５（根太５を裏返しして下部プレートの切欠２ａ部分からドライバを用いてビス止めし、しかる後に根太５を反転する）を固定し、複数の根太受金具１を用いて根太５を等間隔に配設し、二重床９内の通気層６の通気を良好にしたものである。
【００２０】下部床板２０の上面に床下からの冷気を絶って室内の暖房効果を高めるため、断熱ボード２２を敷き詰め、上部床板２１の下面と断熱ボード２２の上面との間の通気層６を全方位に向かって空気が流動する、そして、外壁に張った断熱ボード２２と内装仕上材２４との間の通気層６に、二重床９の通気層６からの空気が流入し、外壁の通気層６を上昇する。
【００２１】
二重床９の通気層６において、上部床板２１の複数か所に設けた通気口８に嵌設する通気口枠体１０であって、正方形又は長方形の枠１１の周縁に鍔１２を有し、枠１１の内側に平行して垂直に複数のプレート１３を設け、通気口枠体１０の内側三面の下端に枠１１に直交して凹溝１５を設け、他の一面にフイルター枠体１７を挿入する挿入口１４から挿入したフイルター枠体１７を前記凹溝１５に着脱自在に嵌挿し、前記上部床板２１の通気口８に前記通気口枠体１０を嵌設したものである。
【００２２】
通気口枠体１０に嵌挿するフイルター枠体１６であって、正方形又は長方形のフイルター枠体１６を断面コ字形の枠材で形成し、フイルター枠体１６の内側の下部に縦横に複数のフイルター支持部材１８を有し、フイルター枠体１６の内側のフイルター嵌合溝１９にフイルター１７を嵌着し、フイルター枠体１６を前記通気口枠体１０の挿入口１４から着脱自在に凹溝１５に嵌挿したものである。
【００２３】
【発明の効果】
以上説明したように、請求項１に記載の発明によれば、外壁に設けた通気口から流入した空気を、室内空間から部屋の上部床板に設けた通気口を通過して二重床の通気層と、外壁通気層及び間仕切壁通気層と、小屋裏空間へと連通して小屋裏に設けた排出装置で屋外に排出する構造の建物において、前記二重床の通気層に設けた上部床板を支持する根太の支持金物であって、上部床板を支持する根太を支持する根太受金具を用いて、下部床板の上面に複数の柱状部材を立設して根太を等間隔に配設し、下部床板と上部床板の間の空気の通気層を全方位の向かって平均に空気が流動し、各通気層内は勿論室内空間を空気が良好に循環できるようになった。
【００２４】
請求項２に記載の発明によれば、二重床の通気層において、上部床板の複数か所に設けた通気口に嵌設する通気口枠体であって、正方形又は長方形の通気口枠体の周縁に鍔を有し、通気口枠体の内側に枠体に平行して垂直に複数のプレートを設けた通気口枠体を上部床板の通気口に着脱自在に嵌設し、通気口枠体の下端に凹溝を設け、該凹溝にフイルター枠体を着脱自在に嵌挿し、通気口枠体を通過して二重床の通気層へ浮遊塵を除いた空気を流動することができる。
【００２５】
請求項３に記載の発明によれば、通気口枠体に嵌挿するフイルター枠体であって、正方形又は長方形の枠体を断面コ字形の枠材で形成し、フイルター枠体の内側の下部に縦横に複数のフイルターを支持する支持部材を有し、フイルター枠体の凹溝にフイルターを嵌着し、フイルター枠体を前記通気口枠体の凹溝に着脱自在に嵌挿することで、二重床の通気層と外壁通気層及び間仕切壁通気層内を空気が通過する過程で通気口枠体及び通気層内に浮遊塵等が付着することを防止することができる。
【図面の簡単な説明】
【図１】本発明の根太受金具を装着した二重床の通気層の斜視図である。
【図２】柱状部材の斜視図である。
【図３】図２の柱状部材のＡ〜Ａ線縦断面図である。
【図４】（ａ）は通気口枠体の斜視図であり（ｂ）はフイルター枠の斜視図であり（ｃ）は（ａ）のＢ〜Ｂ線縦断面図である。
【符号の説明】
１  根太受金具、２  下部プレート、２ａ    切欠、２ｂ  ビス穴、２ｃ  ビス、
３  柱状部材、３ａ    突縁、４  上部プレート、５  根太、６  通気層、
７  通気口、８  通気口、９  二重床、１０  通気口枠体、１１  枠、１２  鍔、
１３  プレート、１４  挿入口、１５  凹溝、１６  フイルター枠体、
１６ａ  枠材、１７  フイルター、１８  フイルター支持部材、
２０  下部床板、２１  上部床板、２５  室内空間、２６  小屋裏空間、
【図１】
2005042346.tif 000003
【図２】
2005042346.tif 000004
【図３】
2005042346.tif 000005
【図４】
2005042346.tif 000006